(57)【特許請求の範囲】
【請求項１】
透液性のトップシートと裏面シートとの間に吸収体が介在された吸収性本体と、２枚の不織布の間にウエスト部及び胴周り部に沿って多数の弾性伸縮部材が配置され、前記吸収性本体の後身頃側に接合される後身頃用シートと、２枚の不織布の間にウエスト部及び胴周り部に沿って多数の弾性伸縮部材が配置され、前記吸収性本体の前身頃側に接合される前身頃用シートとから構成されるとともに、製品状態で前記後身頃用シートと前身頃用シートとが、その両側端の接合部において接合されることによりウエスト開口部及び左右一対のレッグ開口部が形成されたパンツ型使い捨ておむつにおいて、
前記後身頃用シート及び前身頃用シートのそれぞれに、特定の弾性伸縮部材間の間隔をウエスト開口部側及び股下側に隣接する周辺領域の弾性伸縮部材間の間隔よりも大きく設定したズレ吸収緩衝帯が設けられ、
前記前身頃用シートに設けられるズレ吸収緩衝帯を、前記後身頃用シートに設けられるズレ吸収緩衝帯よりも股下側に偏倚させるとともに、前記前身頃用シートに設けられたズレ吸収緩衝帯上端までのウエスト開口端部からの距離Ｌ２と、前記後身頃用シートに設けられたズレ吸収緩衝帯上端までのウエスト開口端部からの距離Ｌ１とに相対差（Ｌ２−Ｌ１）を有することを特徴とするパンツ型使い捨ておむつ。
【請求項２】
透液性のトップシートと防漏シートとの間に吸収体が介在された吸収性本体と、この吸収性本体の外面側に一体的に設けられるとともに、２枚の不織布の間の前身頃側及び後身頃側のウエスト部及び胴周り部に沿って弾性伸縮部材が配置された外装シートとから構成されるとともに、製品状態で前記外装シートの後身頃と前身頃とが、その両側端の接合縁部において接合されることによりウエスト開口部及び左右一対のレッグ開口部が形成された構造を成すパンツ型使い捨ておむつにおいて、
前記後身頃及び前身頃のそれぞれに、特定の弾性伸縮部材間の間隔をウエスト開口部側及び股下側に隣接する周辺領域の弾性伸縮部材間の間隔よりも大きく設定したズレ吸収緩衝帯が設けられ、
前記前身頃に設けられるズレ吸収緩衝帯を、前記後身頃に設けられるズレ吸収緩衝帯よりも股下側に偏倚させるとともに、前記前身頃用シートに設けられたズレ吸収緩衝帯上端までのウエスト開口端部からの距離Ｌ２と、前記後身頃用シートに設けられたズレ吸収緩衝帯上端までのウエスト開口端部からの距離Ｌ１とに相対差（Ｌ２−Ｌ１）を有することを特徴とするパンツ型使い捨ておむつ。
【請求項３】
前記相対差（Ｌ２−Ｌ１）は、５〜３０mmである請求項１、２いずれかに記載のパンツ型使い捨ておむつ。
【請求項４】
前記後身頃用シートに設けられたズレ吸収緩衝帯上端までのウエスト開口端部からの距離Ｌ１は１０〜５０mmであり、前記前身頃用シートに設けられたズレ吸収緩衝帯上端までのウエスト開口端部からの距離Ｌ２は、２０〜６０mmである請求項１〜３いずれかに記載のパンツ型使い捨ておむつ。
【請求項５】
前記前身頃用シートに設けられるズレ吸収緩衝帯及び後身頃用シートに設けられるズレ吸収緩衝帯の幅Ｌ５、Ｌ６の寸法は、１０〜３０mmとしている請求項１〜４いずれかに記載のパンツ型使い捨ておむつ。
【発明の詳細な説明】
【技術分野】
【０００１】
本発明は、吸収性本体に、おむつ幅方向に沿って多数の弾性伸縮部材が配設された前身頃用シート及び後身頃用シートを接合して構成したパンツ型使い捨ておむつに関し、さらに詳細には、主としておむつの胴周り部とウエスト部のずれを連動させないようにしてずり落ち防止性に優れるとともに、着用者の脚の動きを妨げず、はかせ易さを向上させたパンツ型使い捨ておむつに関する。
【背景技術】
【０００２】
従来より、パンツ型使い捨ておむつにおいては、おむつのずり落ちを防止し、脚の動きの妨げとならず、はかせ易くするなどの観点から、おむつのウエスト部、胴周り部及び脚周り部に配設される弾性体の伸縮応力を調整したものが知られている。
【０００３】
例えば、胴周り開口部から股下区域にかけて弾性リボンを幅広く配置し、該弾性リボンが胴周り開口部において伸長応力と伸長倍率が大きく、股下区域寄りにおいて小さくしてあるもの（下記特許文献１）、前後側胴開口伸縮域における弾性部材と前後側胴周り伸縮域の上部、中間部及び下部における弾性部材とが、所定の相対的関係を有する伸長応力で配設されているもの（下記特許文献２）、ウエスト開口周囲部、胴周囲部、レッグ開口周囲部の周囲方向の伸縮応力が所定の大きさ及び関係を有するもの（下記特許文献３）などが開示されている。
【０００４】
特に、幼児用おむつにおいては、幼児体型の特徴である腹部の膨らみが大きいことを考慮して、腹側（前身頃側）のウエスト部、胴周り部及び脚周り部の伸縮応力を高めることによって、ずり落ち防止などの対策がとられてきた。
【０００５】
一方、外装シートが前身頃用シート及び後身頃用シートからなる２分割タイプのおむつは、製造時に脚開口部を打ち抜く際のトリム（余分な廃棄部分）が少ないことや、前身頃用シート及び後身頃用シートの各素材を個別に選択できること、股間部に外装シートが存在しないため、通気性に優れたり脚が動かし易かったりすることなどの利点がある。
【先行技術文献】
【特許文献】
【０００６】
【特許文献１】特開平４−２８９２０１号公報
【特許文献２】特開平９−３８１３４号公報
【特許文献３】特開平１１−２５３４８９号公報
【発明の概要】
【発明が解決しようとする課題】
【０００７】
しかしながら、腹部の膨らみの影響を考慮して、腹側（前身頃側）の伸縮応力を高めることは、腹部の締付けが強くなり、肌の跡付きやカブレが発生しやすくなる。また、この腹側（前身頃側）の伸縮応力とのバランスから背側（後身頃側）の伸縮応力も高くせざるを得ず、全体的に伸縮応力が高く、はかせ難いおむつになるとともに、伸縮応力によって形成されるひだが大きくなり外観が悪いばかりでなく、肌触りも悪いものとなっていた。
【０００８】
このため、近年では、空腹時や満腹時、あるいは呼吸時におけるお腹の膨らみの変動に影響を受けやすい胴周りの伸縮応力を抑え、その分、ウエスト部及び脚周り部の伸縮応力を高めることによって、おむつのずり落ちを防止しようとしている。ところが、かかる対策は、おむつのずれにくさという点においては有効であるものの、歩行を始め、動きが激しくなる幼児に対しては、脚の動きを阻害するなどの欠点があった。
【０００９】
そこで本発明の主たる課題は、胴周り部とウエスト部のずれを連動させないようにしてずり落ち防止性に優れるとともに、着用者の脚の動きを妨げず、はかせ易さを向上し、且つおむつの外観及び肌触りを改善したパンツ型使い捨ておむつを提供することにある。
【課題を解決するための手段】
【００１０】
前記課題を解決するために請求項１に係る本発明として、透液性のトップシートと裏面シートとの間に吸収体が介在された吸収性本体と、２枚の不織布の間にウエスト部及び胴周り部に沿って多数の弾性伸縮部材が配置され、前記吸収性本体の後身頃側に接合される後身頃用シートと、２枚の不織布の間にウエスト部及び胴周り部に沿って多数の弾性伸縮部材が配置され、前記吸収性本体の前身頃側に接合される前身頃用シートとから構成されるとともに、製品状態で前記後身頃用シートと前身頃用シートとが、その両側端の接合部において接合されることによりウエスト開口部及び左右一対のレッグ開口部が形成されたパンツ型使い捨ておむつにおいて、
前記後身頃用シート及び前身頃用シートのそれぞれに、特定の弾性伸縮部材間の間隔をウエスト開口部側及び股下側に隣接する周辺領域の弾性伸縮部材間の間隔よりも大きく設定したズレ吸収緩衝帯が設けられ、
前記前身頃用シートに設けられるズレ吸収緩衝帯を、前記後身頃用シートに設けられるズレ吸収緩衝帯よりも股下側に偏倚させるとともに、前記前身頃用シートに設けられたズレ吸収緩衝帯上端までのウエスト開口端部からの距離Ｌ２と、前記後身頃用シートに設けられたズレ吸収緩衝帯上端までのウエスト開口端部からの距離Ｌ１とに相対差（Ｌ２−Ｌ１）を有することを特徴とするパンツ型使い捨ておむつが提供される。
【００１１】
上記請求項１記載の本発明では、後身頃用シート及び前身頃用シートのそれぞれに、特定の弾性伸縮部材間の間隔をウエスト開口部側及び股下側に隣接する周辺領域の弾性伸縮部材間の間隔よりも大きく設定したズレ吸収緩衝帯を設けることにより、胴周り部とウエスト部のずれが互いに連動しなくなる。すなわち、胴周り部のずり落ちによってウエスト部がずり落ちることがなくなると同時に、ウエスト部のずり落ちによって胴周り部がずり落ちることがなくなり、全体としておむつのずり落ちが防止できるようになる。
【００１２】
さらに、前記前身頃用シートに設けられるズレ吸収緩衝帯を、前記後身頃用シートに設けられるズレ吸収緩衝帯よりも股下側に偏倚させてある。すなわち、前身頃に設けたズレ吸収緩衝帯と、後身頃とに設けたズレ吸収緩衝帯とに、胴周り方向の不連続性を持たせるようにすることで、前身頃に生じたズレが後身頃に連動しづらくなるとともに、後身頃で生じたズレが前身頃に連動しづらくなるため、おむつ全体がずり落ちし難くなる。
【００１３】
このようにしておむつのずり落ちが防止されるため、従来のようにずり落ち防止のためにウエスト部及び脚周り部において締付けを強くするため伸縮応力を高める必要がなくなり、着用者の脚の動きを妨害せず、全体的に伸縮応力を低く抑えることができ、はかせ易さが向上する。また、おむつ全体の伸縮応力が低いため、シートに形成されるひだが細かくなり、おむつの外観及び肌触りが向上するようになる。
【００１４】
請求項２に係る本発明として、透液性のトップシートと防漏シートとの間に吸収体が介在された吸収性本体と、この吸収性本体の外面側に一体的に設けられるとともに、２枚の不織布の間の前身頃側及び後身頃側のウエスト部及び胴周り部に沿って弾性伸縮部材が配置された外装シートとから構成されるとともに、製品状態で前記外装シートの後身頃と前身頃とが、その両側端の接合縁部において接合されることによりウエスト開口部及び左右一対のレッグ開口部が形成された構造を成すパンツ型使い捨ておむつにおいて、
前記後身頃及び前身頃のそれぞれに、特定の弾性伸縮部材間の間隔をウエスト開口部側及び股下側に隣接する周辺領域の弾性伸縮部材間の間隔よりも大きく設定したズレ吸収緩衝帯が設けられ、
前記前身頃に設けられるズレ吸収緩衝帯を、前記後身頃に設けられるズレ吸収緩衝帯よりも股下側に偏倚させるとともに、前記前身頃用シートに設けられたズレ吸収緩衝帯上端までのウエスト開口端部からの距離Ｌ２と、前記後身頃用シートに設けられたズレ吸収緩衝帯上端までのウエスト開口端部からの距離Ｌ１とに相対差（Ｌ２−Ｌ１）を有することを特徴とするパンツ型使い捨ておむつが提供される。
【００１５】
上記請求項２記載の本発明は、外装シートを後身頃用シートと前身頃用シートとに分割しないタイプに適用した場合の発明である。
【００１６】
請求項３に係る本発明として、前記相対差（Ｌ２−Ｌ１）は、５〜３０mmである請求項１、２いずれかに記載のパンツ型使い捨ておむつが提供される。
【００１７】
請求項４に係る本発明として、前記後身頃用シートに設けられたズレ吸収緩衝帯上端までのウエスト開口端部からの距離Ｌ１は１０〜５０mmであり、前記前身頃用シートに設けられたズレ吸収緩衝帯上端までのウエスト開口端部からの距離Ｌ２は、２０〜６０mmである請求項１〜３いずれかに記載のパンツ型使い捨ておむつが提供される。
【００１８】
請求項５に係る本発明として、前記前身頃用シートに設けられるズレ吸収緩衝帯及び後身頃用シートに設けられるズレ吸収緩衝帯の幅Ｌ５、Ｌ６の寸法は、１０〜３０mmとしている請求項１〜４いずれかに記載のパンツ型使い捨ておむつが提供される。
【発明の効果】
【００１９】
以上詳説のとおり本発明によれば、胴周り部とウエスト部のずれを連動させないようにしてずり落ち防止性に優れるとともに、着用者の脚の動きを妨げず、はかせ易さを向上し、且つおむつの外観及び肌触りを改善することができるようになる。
【図面の簡単な説明】
【００２０】
【図１】本発明に係るパンツ型使い捨ておむつ１の製品状態を示す外観図である。
【図２】その展開図である。
【図３】パンツ型使い捨ておむつ１の分解図である。
【図４】図２のIV−IV断面図である。
【図５】後身頃用シート２０の展開図である。
【図６】前身頃用シート３０の展開図である。
【図７】後身頃用シート２０の組立て要領を示す模式図である。
【図８】図７の要部平面図（IIIV−IIIV線矢視）である。
【図９】接着剤の塗布要領例(A)(B)を示す図である。
【図１０】他の形態例に係るズレ吸収緩衝帯の形成方法を示す、パンツ型使い捨ておむつ１の外観図である。
【図１１】他の形態例に係るパンツ型使い捨ておむつ１の外観図である。
【図１２】他の形態例に係るパンツ型使い捨ておむつ１の展開図である。
【図１３】他の形態例に係るパンツ型使い捨ておむつの分解図である。
【発明を実施するための形態】
【００２１】
以下、本発明の実施の形態について図面を参照しながら詳述する。
【００２２】
図１は本発明に係る使い捨ておむつの製品状態外観図、図２はその展開図、図３はその分解図である。
【００２３】
図１乃至図３において、パンツ型使い捨ておむつ１（以下、単におむつという。）は、吸収性本体１０と、ウエスト部Ｓ１に弾性伸縮部材２２、２２…を配設するとともに、胴周り部Ｓ２に弾性伸縮部材２３，２３…を配置してシャーリングを形成し、前記吸収性本体１０の後身頃Ｂ側に接合される後身頃用シート２０と、ウエスト部Ｓ１に弾性伸縮部材３２，３２…を配置するとともに、胴周り部Ｓ２に弾性伸縮部材３３，３３…を配置してシャーリングを形成し、前記吸収性本体１０の前身頃Ｆ側に接合される前身頃用シート３０とから構成されている。そして、前記後身頃用シート２０及び前身頃用シート３０のそれぞれに、特定の弾性伸縮部材間の間隔を隣接する周辺領域の弾性伸縮部材２２…、２３…、３２…、３３…間の間隔よりも大きく設定したズレ吸収緩衝帯２、３が設けられているとともに、前記前身頃用シート３０に設けられるズレ吸収緩衝帯３を、前記後身頃用シート２０に設けられるズレ吸収緩衝帯２よりも股下側に偏倚させるようにしてある。
【００２４】
前記吸収性本体１０は、図２〜図４に示されるように、有孔または無孔の不織布や孔開きプラスチックシート等からなり使用面側を覆う透液性表面シート１１と、そのおむつ外面側に、綿状パルプ等からなる、たとえば長方形状（または砂時計形等）のある程度の剛性を有する吸収体１２及び、おむつの脚周り両側部に表面側に起立する立体ギャザーＢＳを形成するためのサイドギャザー不織布１３と、前記吸収体１２のおむつ外面側に少なくとも吸収体１２の全面積を覆うように配設されたポリエチレン等からなる防漏シート１４とから主に構成されている。
【００２５】
前記後身頃用シート２０は、図３及び図５に示されるように、不織布などからなる２枚の上層不織布２１Ａ、下層不織布２１Ｂと、その間に、ウエスト部Ｓ１及び胴周り部Ｓ２の水平方向に沿って接着される複数の弾性伸縮部材群２２、２２…、２３、２３…とから主に構成されている。
【００２６】
前記前身頃用シート３０は、図３及び図６に示されるように、不織布などからなる２枚の上層不織布３１Ａ、下層不織布３１Ｂと、その間に、ウエスト部Ｓ１及び胴周り部Ｓ２の水平方向に沿って接着される複数の弾性伸縮部材群３２、３２…、３３、３３…とから主に構成されている。
【００２７】
以下、前記吸収性本体１０、後身頃用シート２０及び前身頃用シート３０について順に詳述する。
【００２８】
（吸収性本体１０の構造）
先ず最初に、前記吸収性本体１０の構造の一例について図２及び図４に基づいて詳述する。
【００２９】
吸収性本体１０は、前述したように、不織布などからなる透液性表面シート１１と、プラスチックシートなどからなる液不透過性の防漏シート１９との間に、綿状パルプなどの吸収体１２を介在させた構造とされ、最外層に不織布などからなる裏面シート１４が配設されたものである。
【００３０】
前記吸収体１２は、図示例では平面形状を略長方形状（または砂時計形状等）として成形されたものが使用され、その幅寸法は股間部への当たりによって着用者にゴワ付き感を与えない寸法幅となっている。この吸収体１２は、形状保持と透液性表面シート１１を透過した体液の拡散性向上のために、クレープ紙１６によって囲繞されている。なお、前記吸収体１２としては、嵩を小さくできるエアレイド吸収体を用いるのが望ましい。
【００３１】
前記吸収体１２の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアースルー法は嵩高でソフトである点で優れている。透液性表面シート１１に多数の透孔を形成した場合には、尿などが速やかに吸収されるようになり、ドライタッチ性に優れたものとなる。前記透液性表面シート１１は、吸収体１２の側縁部を巻き込んで吸収体１２の裏面側まで延在している。
【００３２】
前記製品外面に露出する不織布などからなる裏面シート１４としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法、エアースルー法、ＳＭＳ（スパンボンド／メルトブローン／スパンボンド）、ポイントボンド法等の適宜の加工法によって得られた不織布を用いることができる。これらの加工法の内、スパンレース法は柔軟性、スパンボンド法はドレープ性に富む点で優れ、サーマルボンド法及びエアースルー法は嵩高でソフトである点で優れている。
【００３３】
前記吸収体１２の裏面側（非肌当接面側）を覆う防漏シート１９は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。また、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３４】
一方、立体ギャザーＢＳを形成するギャザー不織布１３は、図４に示されるように、折返しによって二重シートとした不織布が用いられ、前記表面シート１１によって巻き込まれた吸収体１２の側縁部をさらにその上側から巻き込んで吸収体１２の裏面側まで延在して接着されている。より具体的には、前記ギャザー不織布１３は、おむつの長手方向中間部では、立体ギャザーＢＳ形成部分を残し、幅方向中間部から吸収体１２の裏面側に亘る範囲がホットメルト接着剤等によって接着され、また長手方向前後端部では、前記幅方向中間部から一方側端縁までの区間が吸収体１２の裏面側に亘る範囲で接着されるとともに、前記立体ギャザーＢＳを形成する部分を吸収体１２の上面部にて折り畳むようにしながらホットメルト接着剤等により接着されている。
【００３５】
前記二重シート不織布によって形成されたギャザー不織布１３の内部には、起立先端側部分に複数本の糸状弾性伸縮部材１５、１５…が配設されている。前記糸状弾性伸縮部材１５、１５…は、製品状態において、弾性伸縮力により吸収体側縁部より突出する不織布部分を起立させて立体ギャザーＢＳを形成するためのものである。本発明においては、吸収性本体１０と後身頃用シート２０及び前身頃用シート３０が別工程で製造された後、接着される構造であるため、吸収性本体１０は、常に前記糸状弾性伸縮部材１５、１５…の配設方向に沿って製造ラインを搬送でき、直交方向に回転させるなどの作業が必要なく、製造作業を簡略化することができる。
【００３６】
前記糸状弾性伸縮部材１５としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは１８８０dtex以下、好ましくは９２５dtex以下、テンションは１００〜３５０％、好ましくは１５０〜３００％、間隔は１０mm以下、好ましくは７mm以下として配設するのがよい。なお、糸状弾性伸縮部材に代えて、ある程度の幅を有するテープ状弾性伸縮部材を用いるようにしてもよい。
【００３７】
前述のギャザー不織布１３を構成する素材繊維も前記透液性表面シート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法、エアースルー法、ＳＭＳ（スパンボンド／メルトブローン／スパンボンド）、ポイントボンド法等の適宜の加工方法に得られた不織布を用いることができるが、特にはムレを防止するために坪量を抑えて通気性に優れた不織布を用いるのがよい。さらに前記ギャザー不織布１３については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３８】
（後身頃用シート２０の構造）
前記後身頃用シート２０は、図２、図３及び図５に示されるように、上層不織布２１Ａ及び下層不織布２１Ｂからなる２層構造の不織布シートとされ、前記上層不織布２１Ａと下層不織布２１Ｂとの間の水平方向に各種弾性伸縮部材２２…、２３…が配設され、水平方向に伸縮性が付与されている。かかる後身頃用シート２０は、前記吸収性本体１０の後身頃Ｂ側に接着され、後述する前身頃用シート３０とその両側端の接合部２４、２４において接合されることによりウエスト開口部及び左右一対のレッグ開口部が形成されている。
【００３９】
なお、図５の平面形状に示されるように、おむつの脚部開口に相当する部分に、凹状の脚回りカットライン２９が形成されてているが、場合によって矩形状のシートとしてもよい。
【００４０】
前記後身頃用シート２０は、図５に示されるように、上層不織布２１Ａと下層不織布２１Ｂとの間に、ウエスト部Ｓ１及び胴周り部Ｓ２の上下方向に間隔をおいて水平方向に沿ってウエスト部弾性伸縮部材２２、２２…と、複数の胴周り弾性伸縮部材２３、２３…とが接着される。
【００４１】
前記ウエスト部弾性伸縮部材２２，２２…は、ウエスト開口縁近傍（ウエスト部Ｓ１）に上下方向に間隔をおいて配設された複数条の糸ゴム状弾性伸縮部材であり、身体のウエスト部回りを締め付けるように伸縮力を与えることによりおむつを身体に装着するためのものである。このウエスト部弾性伸縮部材２２は、図示例では糸ゴムを用いたが、例えばテープ状の伸縮部材を用いてもよい。
【００４２】
前記胴周り弾性伸縮部材２３，２３…は、前記ウエスト部Ｓ１の下端から概ね後身頃用シート２０下端までの範囲（胴周り部Ｓ２）に亘り、上下方向に間隔をおいて水平方向に沿って配設された糸ゴム状の弾性伸縮部材であり、後身頃Ｂの胴回り部分に夫々水平方向の伸縮力を与える胴回りシャーリングが形成され、おむつを身体に密着させるためのものである。なお、前記ウエスト部弾性伸縮部材２２、２２…と胴回り弾性伸縮部材群２３、２３…との境界は必ずしも明確でなくてよい。例えば、上下方向に間隔をおいて水平方向に配置された弾性伸縮部材の内、数は特定できなくても、上部側の何本かウエスト部弾性伸縮部材２２、２２…として機能し、残りの弾性伸縮部材が胴回り弾性伸縮部材群２３、２３…として機能していればよい。
【００４３】
また、前記後身頃用シート２０は、前記ウエスト部Ｓ１と胴周り部Ｓ２とで、それぞれに配設されるウエスト部弾性伸縮部材２２、２２…と胴回り弾性伸縮部材２３、２３…の張力（接着時の伸び）を調整することにより、シャーリングの強度を異なるようにすることができる。
【００４４】
本発明では特に、前記後身頃用シート２０に、特定の弾性伸縮部材間の間隔を隣接する周辺領域の弾性伸縮部材２２…、２３…間の間隔よりも大きく設定したズレ吸収緩衝帯２が設けられている。このズレ吸収緩衝帯２については、後段で詳述する。
【００４５】
（後身頃用シート２０の製造方法）
次に、前記後身頃用シート２０の製造方法について詳述する。
【００４６】
前記ウエスト部Ｓ１に配置されるウエスト部弾性伸縮部材２２，２２…、及び胴周り部Ｓ２に配置される胴回り弾性伸縮部材２３，２３…については、従来より公知の塗布方式に従って、弾性伸縮部材２２，２３の周面にホットメルト接着剤が塗布された後、上層不織布２１Ａ及び下層不織布２１Ｂの間に導入されることによって固着される。
【００４７】
前記後身頃用シート２０の製造に当たっては、図７、８に示されるように、ニップローラ部４０の上側に上層不織布２１Ａが供給されるとともに、下側に下層不織布２１Ｂが供給され、かつこれら上層不織布２１Ａと下層不織布２１Ｂとの間に、周面塗布装置４１により周面にホットメルト接着剤が塗布された各種の弾性伸縮部材（ウエスト部弾性伸縮部材２２，胴回り弾性伸縮部材２３）が供給されてそれぞれ接着されて、連続状の後身頃用シート２０が製造される（図８参照）。その後、この連続状の後身頃用シート２０を所定位置（破線位置）で切断することにより、個々の後身頃用シート２０が完成される。
【００４８】
前記弾性伸縮部材２２…、２３…への周面塗布は、例えば、図９(A)に示されるように、Ｖ字型の溝を有する部材４３ａを用いて、溝の底部に接着剤を供給しながら弾性伸縮部材を溝に通すコームガン４３による塗布方法や、図９(B)に示されるように、曲折する部材４４に弾性伸縮部材を絡ませながら通過させ、接着剤を塗布する、従来より公知のコントロールシーム塗布方式、オメガ塗布方式又はシュアラップ塗布方式等が挙げられる。これらコントロールシーム塗布方式、オメガ塗布方式又はシュアラップ塗布方式は、接着剤の塗布が偏り易いコームガン塗布よりも、均一性の高い周面塗布が可能になるので好ましい。
【００４９】
上記ホットメルト接着剤としては、例えばＥＶＡ系、粘着ゴム系（エラストマー系）、オレフィン系、ポリエステル・ポリアミド系などの種類のものが存在するが、本使い捨ておむつでは、前記粘着ゴム系（エラストマー系）を使用するのが望ましい。
【００５０】
（前身頃用シート３０の構造と製造方法）
前身頃用シート３０は、前記後身頃用シート２０とほぼ同様の構造であり、図３及び図６に示されるように、上層不織布３１Ａ及び下層不織布３１Ｂからなる２層構造の不織布シートとされ、前記上層不織布３１Ａと下層不織布３１Ｂとの間に、ウエスト部Ｓ１及び胴周り部Ｓ２の水平方向に沿って複数の弾性伸縮部材３２…、３３…がホットメルト接着剤により接着されて、伸縮性が付与されている。また、本発明では特に、前記前身頃用シート３０に、特定の弾性伸縮部材間の間隔を隣接する周辺領域の弾性伸縮部材３２…、３３…間の間隔よりも大きく設定したズレ吸収緩衝帯３が設けられている。このズレ吸収緩衝帯３については、後段で詳述する。
【００５１】
なお、図６の平面形状に示されるように、本発明に係る前身頃用シート３０は、矩形状のシートとしているが、場合によっておむつの脚部開口に相当する部分に、凹状の脚回りカットラインが形成されるようにしてもよい。
【００５２】
前記ウエスト部弾性伸縮部材３２…及び胴周り部弾性伸縮部材３３…の接合は、前記弾性伸縮部材２２…、２３…への周面塗布と同様に、従来より公知の塗布方式等により、弾性伸縮部材３２…、３３…へ接着剤が周面塗布されることによって接着することができる。
【００５３】
（ズレ吸収緩衝帯２、３の構成）
前述の通り、前記後身頃用シート２０には、特定の弾性伸縮部材間の間隔を隣接する周辺領域の弾性伸縮部材間の間隔よりも大きく設定したズレ吸収緩衝帯２が設けられるとともに、前記前身頃用シート３０には、特定の弾性伸縮部材間の間隔をウエスト開口部側及び股下側に隣接する周辺領域の弾性伸縮部材間の間隔よりも大きく設定したズレ吸収緩衝帯３が設けられている。そして、本発明では特に、前記前身頃用シート３０に設けられるズレ吸収緩衝帯３を、前記後身頃用シート２０に設けられるズレ吸収緩衝帯２よりも股下側に偏倚させてある。ここで、前記ズレ吸収緩衝帯２、３は、それぞれ前記吸収体１２のおむつ長手方向端部からウエスト開口部までの吸収体１２の存在しないフラップ部（図２中、Ｌ３及びＬ４の範囲内）に設けられていることが好ましい。
【００５４】
次に、後身頃用シート２０に設けられるズレ吸収緩衝帯２の好ましい形態について詳述すると、図２に示されるように、前記後身頃用シート２０のズレ吸収緩衝帯２から前記ウエスト開口部側及び股下側に向かってズレ吸収緩衝帯２の幅Ｌ５の２倍長さ範囲内にそれぞれ配設される弾性伸縮部材２２…、２３…の配設ピッチＰｂは、次式(1)の関係であることが望ましい。
【数１】
0005529331.tif 000002
【００５５】
ズレ吸収緩衝帯２から上下方向に、ズレ吸収緩衝帯２の幅Ｌ５の２倍長さ範囲内において、弾性伸縮部材２２…、２３…の配設ピッチＰｂが、Ｌ５／２より大きい場合には、ズレ吸収緩衝帯の効果が発揮されずに、ウエスト部のずれ又は胴周り部のずれがズレ吸収緩衝帯２で吸収しきれずに、ウエスト部のずれと胴周り部のずれとが連動してしまうため好ましくない。他方、ズレ吸収緩衝帯２の幅Ｌ５の２倍長さ以上の範囲においては、ズレ吸収緩衝帯２の影響が及ばないため、弾性伸縮部材２２…、２３…の配設ピッチは任意に設定することができる。
【００５６】
また、前記ズレ吸収緩衝帯２を境として各弾性伸縮部材の伸縮応力は、図２に示されるように、後身頃用シート２０のズレ吸収緩衝帯２からウエスト開口部側に配設される第１本目の弾性伸縮部材の伸縮応力をＦ８、第２本目以後のウエスト開口部側の弾性伸縮部材の伸縮応力をＦ５、前記ズレ吸収緩衝帯２から股下側に配設される第１本目の弾性伸縮部材の伸縮応力をＦ７及び第２本目以後の股下側の弾性伸縮部材の伸縮応力をＦ６とすると、次式(2)の関係にあることが好ましい。
【数２】
0005529331.tif 000003
【００５７】
すなわち、Ｆ７＝Ｆ８以外では、ズレ吸収緩衝帯２上下の伸縮応力差により、伸縮応力が小さい方の弾性伸縮部材に引っ張られ、伸縮応力が大きい方の弾性伸縮部材の収縮力が阻害されるため、ズレ吸収緩衝帯における所望の伸縮応力が得られないとともに、伸縮応力差により、ズレ吸収緩衝帯２に形成されるひだが不規則なものとなり、外観および肌触り感が悪くなるため好ましくない。また、Ｆ５よりＦ８が小さい、又はＦ６よりＦ７が小さいと、ウエスト部又は胴周り部のずれがズレ吸収緩衝帯２で吸収しきれず、胴周り部又はウエスト部までずれが進展してしまうおそれがあるため好ましくない。さらに、ズレ吸収緩衝帯２から第２本目以後の弾性伸縮部材は、前身頃用シート３０を後身頃用シート２０のウエスト開口部方向へ引き上げる作用力を生じさせるため、股下側（Ｆ６）よりウエスト開口部側（Ｆ５）に配設される伸縮応力を大きくすることが好ましい。
【００５８】
続いて、前身頃用シート３０に設けられるズレ吸収緩衝帯３の好ましい形態について詳述すると、図２に示されるように、前記前身頃用シート３０のズレ吸収緩衝帯３から前記ウエスト開口部側及び股下側に向かってズレ吸収緩衝帯３の幅Ｌ６の２倍長さ範囲内にそれぞれ配設される前記弾性伸縮部材の配設ピッチＰｆは、次式(3)の関係であることが望ましい。
【数３】
0005529331.tif 000004
【００５９】
また、前記ズレ吸収緩衝帯３近傍の弾性伸縮部材の伸縮応力は、前記ズレ吸収緩衝帯２と同様に、図２に示されるように、前記前身頃用シート３０のズレ吸収緩衝帯３から前記ウエスト開口部側に配設される第１本目の弾性伸縮部材の伸縮応力をＦ３、第２本目以後のウエスト開口部側の弾性伸縮部材の伸縮応力をＦ１、前記ズレ吸収緩衝帯から股下側に配設される第１本目の弾性伸縮部材の伸縮応力をＦ４及び第２本目以後の股下側の弾性伸縮部材の伸縮応力をＦ２とすると、次式(4)の関係にあることが望ましい。
【数４】
0005529331.tif 000005
【００６０】
次に、前記後身頃用シート２０の弾性伸縮部材の伸縮応力と前身頃用シート３０の弾性伸縮部材の伸縮応力との関係について詳述すると、前記前身頃用シート３０のズレ吸収緩衝帯３からウエスト開口部側に配設される第２本目以後の弾性伸縮部材の伸縮応力Ｆ１と、前記後身頃用シート２０のズレ吸収緩衝帯２からウエスト開口部側に配設される第２本目以後の弾性伸縮部材の伸縮応力Ｆ５との関係と、前記前身頃用シート３０のズレ吸収緩衝帯３から股下側に配設される第２本目以後の弾性伸縮部材の伸縮応力Ｆ２と、前記後身頃用シート３０のズレ吸収緩衝帯３から股下側に配設される第２本目以後の弾性伸縮部材の伸縮応力Ｆ６とが次式(5)の関係にあり、且つ前記後身頃用シート２０のズレ吸収緩衝帯２の両側に配設される第１本目の弾性伸縮部材の伸縮応力Ｆ７、Ｆ８と、前記前身頃用シート３０のズレ吸収緩衝帯３の両側に配設される第１本目の弾性伸縮部材の伸縮応力Ｆ３、Ｆ４とが次式(6)の関係にあることが望ましい。
【数５】
0005529331.tif 000006
【数６】
0005529331.tif 000007
【００６１】
すなわち、ズレ吸収緩衝帯２、３に対して相対的関係にある弾性伸縮部材は、全体的に後身頃側の伸縮応力を高く設定する。これにより、接合部２４、２４を介して前身頃用シート３０を全体的に上方へ引き上げる効果が生じ、幼児体型の特徴である腹部の膨らみに対して効果的におむつのずり落ちが防止できるようになる。さらに詳細には、前述のずり落ちをより確実に防止するために、後身頃側のウエスト部の伸縮応力が、おむつの中で最も高く設定されることが好ましい。
【００６２】
なお、前記ズレ吸収緩衝帯２、３のウエスト開口端部からの距離Ｌ１、Ｌ２は、おむつの具体的な大きさを考慮して、それぞれＬ１は１０〜５０mm、Ｌ２は２０〜６０mmの範囲内とすることが望ましい。
【００６３】
また、前記ズレ吸収緩衝帯２、３位置の相対差（Ｌ２−Ｌ１）は、５〜３０mm、好ましくは１０〜２５mm、さらに好ましくは１５〜２０mmであり、前記ズレ吸収緩衝帯２，３は重複しないことが望ましく、離間する場合の離間距離は１５mm以下が望ましく、１０mm以下がより好ましい。このような相対差とすることにより、ズレ吸収緩衝帯２、３により前身頃用シート３０全体を後身頃用シート２０のウエスト開口部方向へ引き上げる効果がより発揮されるようになる。
【００６４】
一方、前記ズレ吸収緩衝帯２、３の幅Ｌ５、Ｌ６の寸法は、おむつの具体的な大きさを考慮して、１０〜３０mm、好ましくは１０〜２０mmとするのが良い。
【００６５】
ところで、前記ズレ吸収緩衝帯２、３においては、伸縮力が付与されていないため、装着者の肌と上層不織布２１Ａ、３１Ａとが密着しやすく、装着者の汗がたまりやすい。このため、ズレ吸収緩衝帯２、３の上層不織布２１Ａ、３１Ａ及び／又は下層不織布２１Ｂ、３１Ｂに、胴周り方向に沿って所定の間隔で開孔を設けることが好ましい。これにより、ズレ吸収緩衝帯２，３の通気性が向上し、ムレが防止できるようになる。
【００６６】
さらに、前記ズレ吸収緩衝帯２、３は、図１０に示されるように、製造過程で前記ズレ吸収緩衝帯２、３内に胴周り方向に沿って弾性伸縮部材を配設しておき、該弾性伸縮部材をズレ吸収緩衝帯２、３の上層不織布２１Ａ、３１Ａ及び／又は下層不織布２１Ｂ、３１Ｂとともに、胴周り方向に沿って所定間隔で切断することによって形成しても良い。前記切断部分は、切断後、弾性伸縮部材の収縮によって開孔が形成されるようになり、これにより、通気性が向上して、ムレを防止できる。なお、切断寸法は、前記ズレ吸収緩衝帯２，３の幅を考慮して、おむつ長手方向に３〜２０mm、好ましくは５〜１０mmとする。また、切断間隔は、おむつ幅方向に５〜４０mm、好ましくは１０〜２０mmとする。
【００６７】
（おむつの組立手順）
前記吸収性本体１０と後身頃用シート２０及び前身頃用シート３０とは、図１〜図３に示されるように、吸収性本体１０の非身体側の面であって後身頃Ｂ側及び前身頃Ｆ側に、それぞれ後身頃用シート２０及び前身頃用シート３０がホットメルト接着剤等によって接着されて一体化される。
【００６８】
また、前記後身頃用シート２０及び前身頃用シート３０は、図１１に示されるように、吸収性本体１０の身体側の面に接着することもできる。このように構成する場合には、吸収性本体１０の前後部において、透液性表面シート１１と後身頃用シート２０及び前身頃用シート３０とによって囲まれたポケット状部分を形成することができるため、尿などの排泄物の前後漏れを防止できる効果がある。
【００６９】
〔他の形態例〕
(1)上記形態例では、ズレ吸収緩衝帯２，３は、後身頃用シート２０及び前身頃用シート３０に各１段ずつ設けられるようにしたが、後身頃用シート２０及び前身頃用シート３０にそれぞれ複数段設けられるようにしても良い。この場合、後身頃用シート２０及び前身頃用シート３０の各最上段に設けられるズレ吸収緩衝帯２，３が上記位置関係、すなわち前身頃用シート３０に設けられるズレ吸収緩衝帯３が、前記後身頃用シート２０に設けられるズレ吸収緩衝帯２よりも股下側に偏倚している位置関係を有していればよい。
【００７０】
(2)上記形態例では、後身頃用シート２０の胴周り部弾性伸縮部材２３、２３…として、後身頃用シート２０の全幅に亘って配置されるようにしたが、図１２に示されるように、吸収性本体１０が接合される中央部分において、前記吸収性本体１０を横切る胴周り部弾性伸縮部材２３…を切断して不連続として伸縮性が付与されていない構造とすることも可能である。弾性伸縮部材の不連続化は、例えば特開２０００−２６０１５号公報、特開２００２−２７３８０８号公報に示されるように、各種弾性伸縮部材を下層不織布２１Ｂに配置した後、エンボスカッターロールとアンビルロールとの間に下層不織布２１Ｂを通過させ、前記エンボスカッターロールによる加圧又は加熱により所定範囲内に存在する弾性伸縮部材を細かく切断する方法によればよい。
【００７１】
(3)上記形態例では、透液性のトップシート１１と防漏シート１９との間に吸収体１２が介在されるとともに、最外層に不織布からなる裏面シート１４が配設された吸収性本体１０と、２枚の不織布（上層不織布２１Ａ、下層不織布２１Ｂ）の間にウエスト部Ｓ１及び胴周り部Ｓ２に沿って多数の弾性伸縮部材２２…、２３…が配置され、前記吸収性本体１０の後身頃Ｂ側に接合される後身頃用シート２０と、２枚の不織布（上層不織布３１Ａ、下層不織布３１Ｂ）の間にウエスト部Ｓ１及び胴周り部Ｓ２に沿って多数の弾性伸縮部材３２…、３３…が配置され、前記吸収性本体１０の前身頃Ｆ側に接合される前身頃用シート３０とから構成されるとともに、製品状態で前記後身頃用シート２０と前身頃用シート３０とが、その両側端の接合縁部において接合されることによりウエスト開口部及び左右一対のレッグ開口部が形成されたパンツ型使い捨ておむつ１としたが、本発明は、前記後身頃用シート２０と前身頃用シート３０とに分割しないタイプに対しても同様に適用することが可能である。
【００７２】
具体的には、図１３に示されるように、透液性のトップシート１１と防漏シート１９との間に吸収体１２が介在された吸収性本体１０と、この吸収性本体１０の外面側に一体的に設けられるとともに、２枚の不織布（上層不織布６１Ａ、下層不織布６１Ｂ）の間の前身頃Ｆ側及び後身頃Ｂ側のウエスト部Ｓ１及び胴周り部Ｓ２に沿って弾性伸縮部材６２…、６３…がそれぞれ配置された外装シート６０とから構成されるとともに、製品状態で前記外装シート６０の後身頃Ｂと前身頃Ｆとが、その両側端の接合縁部において接合されることによりウエスト開口部及び左右一対のレッグ開口部が形成された構造を成すパンツ型使い捨ておむつにおいて、前記後身頃Ｂ及び前身頃Ｆのそれぞれに、特定の弾性伸縮部材間の間隔を隣接する周辺領域の弾性伸縮部材間の間隔よりも大きく設定したズレ吸収緩衝帯２，３が設けられるとともに、前記前身頃Ｆに設けられるズレ吸収緩衝帯３を、前記後身頃Ｂに設けられるズレ吸収緩衝帯２よりも股下側に偏倚させるようにする。なお、前記外装シート６０の製造方法は、前述した後身頃用シート２０、前身頃用シート３０と同様の方法によって製造することができる。
【符号の説明】
【００７３】
１…パンツ型使い捨ておむつ、２・３…ズレ吸収緩衝帯、１０…吸収性本体、１１…透液性表面シート、１２…吸収体、１３…ギャザー不織布、１４…裏面シート、１５…糸状弾性伸縮部材、１６…クレープ紙、１９…防漏シート、２０…後身頃用シート、２１Ａ…上層不織布、２１Ｂ…下層不織布、２２…ウエスト部弾性伸縮部材、２３…胴回り部弾性伸縮部材、２４…接合部、２９…脚回りカットライン、３０…前身頃用シート、３１Ａ…上層不織布、３１Ｂ…下層不織布、３２…ウエスト部弾性伸縮部材、３３…胴周り部弾性伸縮部材、４０…ニップローラ部、４１…周面塗布装置、４３…コームガン、Ｆ…前身頃、Ｂ…後身頃、Ｓ１…ウエスト部、Ｓ２…胴周り部
【図１】
0005529331.tif 000008
【図２】
0005529331.tif 000009
【図３】
0005529331.tif 000010
【図４】
0005529331.tif 000011
【図５】
0005529331.tif 000012
【図６】
0005529331.tif 000013
【図７】
0005529331.tif 000014
【図８】
0005529331.tif 000015
【図９】
0005529331.tif 000016
【図１０】
0005529331.tif 000017
【図１１】
0005529331.tif 000018
【図１２】
0005529331.tif 000019
【図１３】
0005529331.tif 000020